(57)【要約】【課題】  既存の吹き抜け空間を生活に応じて容易に可変することができるようになされた吹き抜け構造を提供する。【解決手段】住宅建物１の吹き抜け部１０において、一階１１と二階１２との間の境界部分に、これら一階１１のリビング１１ａと二階１２の吹き抜け部１０との間の空間を開放または仕切ることができるスクリーン２が設けられてなるものである。この吹き抜け構造において、一階１１と二階１２との間の境界部分の側壁面に収納ボックス３が設けられ、この収納ボックス３からスクリーン２が出入り可能となされたものである。スクリーン２は、完全に光を遮蔽することなく、光を和らげて透過させる半透光性素材で形成されたものであってもよい。【選択図】  図１
2005163437.tif 000002
【特許請求の範囲】
【請求項１】
住宅建物の吹き抜け部において、下層階と上層階との間の境界部分に、これら下層階の居室と上層階の吹き抜け部との間を開放または仕切ることができるスクリーンが設けられてなることを特徴とする吹き抜け構造。
【請求項２】
下層階と上層階との間の境界部分の側壁面に収納ボックスが設けられ、この収納ボックスからスクリーンが出入り可能となされた請求項１記載の吹き抜け構造。
【請求項３】
スクリーンは、完全に光を遮蔽することなく、光を和らげて透過させる半透光性素材で形成された請求項１または２記載の吹き抜け構造。
【発明の詳細な説明】
【技術分野】
【０００１】
本発明は、住宅建物内の吹き抜け構造に関するものである。
【背景技術】
【０００２】
一般の住宅建物において、例えば、図６に示すように、一階のリビングルームａを吹き抜けｂにして居室に変化や解放感を持たせる空間設計が行われている。
【０００３】
従来より、このような吹き抜けｂにおいては、吹き抜けｂを設けることによってリビングルームａ内の気温に高低差を生じて偏るため、吹き抜けｂの天井部分ｃにシーリングファンｄを設置して空気を攪拌したりしていた。また、冬季は、冷気が一階床付近に集まることとなるため、吹き抜け床部分ｅに、床暖房を設けたりしていた。
【発明の開示】
【発明が解決しようとする課題】
【０００４】
しかし、冬季においては、天井部分ｃに設けたシーリングファンｄが起こす風によって体温より低い温度の空気がリビングルームａ内で対流するので寒くなるといった不都合を生じることとなる。
【０００５】
吹き抜けｂを設けた居室がリビングルームａやファミリールームであるような場合、その居室での会話やテレビｆの音が二階に拡散し、二階にあるプライベートルームｇの静けさが保てないといった不都合を生じることとなる。
【０００６】
夜間などにおいては、吹き抜けｂによって開放された大空間では落ち着いてくつろぐことができないといった不都合を生じることとなる。
【０００７】
吹き抜けｂによって開放された大空間は、吹き抜けｂの無い居室と比較すると、冷暖房を行う場合のコストが嵩むこととなってしまう。
【０００８】
本発明は係る実情に鑑みてなされたものであって、既存の吹き抜け空間を生活に応じて容易に可変することができるようになされた吹き抜け構造を提供することを目的としている。
【課題を解決するための手段】
【０００９】
上記課題を解決するための本発明の吹き抜け構造は、住宅建物の吹き抜け部において、下層階と上層階との間の境界部分に、これら下層階の居室と上層階の吹き抜け部との間の空間を開放または仕切ることができるスクリーンが設けられてなるものである。
【００１０】
この吹き抜け構造において、下層階と上層階との間の境界部分の側壁面に収納ボックスが設けられ、この収納ボックスからスクリーンが出入り可能となされたものである。
【００１１】
また、上記吹き抜け構造において、スクリーンは、完全に光を遮蔽することなく、光を和らげて透過させる半透光性素材で形成されたものであってもよい。
【発明の効果】
【００１２】
以上述べたように、本発明によれば、スクリーンによって吹き抜けの下層階の居室と上層階の吹き抜け部との間を仕切ったり開放したりすることで、解放感のある吹き抜け空間を落ち着いた小空間にしたり、また元の解放感のある吹き抜け空間にしたりすることができる。また、小空間にすることで、冷暖房効率を高めることができるとともに、夜間などにおいても、上層階のプライベートルームを気にすることなく仕切られた小空間でくつろぐことができる。
【００１３】
また、吹き抜け空間は、吹き抜け空間自体を基準に設計しているため、スクリーンで仕切って小空間を形成した場合、過剰な閉塞感や採光性の不足が懸念されるが、完全に光を遮蔽することなく、光を和らげて透過させる半透光性素材によってスクリーンを形成することにより、穏やかな採光を確保して閉塞感が過剰になることを防止することができるので、居住性を損なうことの無い快適な小空間を形成することができる。
【発明を実施するための最良の形態】
【００１４】
以下、本発明の実施の形態を図面を参照して説明する。
【００１５】
図１および図２は吹き抜け構造の全体構成の概略を示し、図３は同吹き抜け構造を利用した住宅建物１の一階１１の間取りを示している。図３において、一階１１には、リビング１１ａ、和室１１ｂ、キッチン１１ｃ、ダイニング１１ｄ、階段１１ｅがそれぞれ設けられている。二階１２は、一階１１のリビング１１ａの上方空間が吹き抜け１０となされており、この吹き抜け１０を取り囲むように廊下１２ａが設けられている。二階１２には、この廊下１２ａを挟んでそれぞれ主寝室（図示省略）、子供部屋（図示省略）などが設けられている。
【００１６】
この吹き抜け構造は、住宅建物１の吹き抜け部１０において、一階１１と二階１２との間の境界部分に、これら一階１１のリビング１１ａと二階１２の吹き抜け部１０との間の空間を仕切ったり開放したりすることができるスクリーン２が設けられてなるものである。
【００１７】
スクリーン２は、吹き抜け部１０において、一階１１のリビング１１ａと二階１２の吹き抜け部１０との間の空間を仕切ることができる大きさとなされたキャンバス布によって構成されている。このスクリーン２は、襖紙と同程度に、完全に光を遮断するものではなく、光を和らげて透過させることができるように、目付けが考慮されたキャンバス布が用いれらる。また、スクリーン２は、このようなキャンバス布以外でも、上記の条件を満たすものであれば、他の布製のものであってもよいし、半透明のシート状のものであってもよい。このスクリーン２は、図４に示すように、所定間隔をあけて互いに平行する中骨２０が設けられており、この中骨２０に沿った軸回りに巻き取られた状態で、収納ボックス３に収納される。
【００１８】
この収納ボックス３は、一階１１と二階１２との間の境界部分の壁面１３に、カーテンボックスの様に設けるか、もしくはこの壁面１３にビルトインした状態に設けられる。スクリーン２は、この収納ボックス３から水平方向に引き延ばすことによって、一階１１のリビング１１ａと二階１２の吹き抜け部１０との間の空間を仕切ることとなる。この際、水平方向に引き延ばしたスクリーン２が垂れないように、引き伸ばし方向に沿ったスクリーン２の両側には、ガイドレール４が設けられ、このガイドレール４がスクリーン２に設けられた中骨２０の両端を支持するようになされている。このスクリーン２は、専用の棒や手動の巻き取り機構によって、収納ボックス３から手動で引き出したり回収したりするものであっもよいし、ボタン操作によって駆動する電動モータなどによって自動で引き出したり回収したりするものであってもよい。
【００１９】
なお、スクリーン２は、中骨２０の両端がガイドレール４に支持されることで垂れを防止するようになされているが、スクリーン２をワイヤーケーブルなどで常に引っ張って張力を働かせるように構成し、この張力によって垂れを防止するようにしたものであってもよい。この場合、中骨２０やガイドレール４を省略することができる。
【００２０】
この吹き抜け構造によると、スクリーン２によって一階１１のリビング１１ａと二階１２の吹き抜け部１０との間を仕切ることで、一階１１のリビング１１ａを、解放感のある大空間から落ち着きのある小空間へと変更することができる。したがって、夜間に一階１１のリビング１１ａでくつろいだりテレビを見たりするような場合であっても、吹き抜け部１０を介して二階１２の主寝室（図示省略）や子供部屋（図示省略）などに音が響いたりするのを防止して静けさを保つことができる。また、冬季などの場合には、暖気が上方に上がってしまいリビング１１ａの床面付近が寒くなるため、二階１２の吹き抜け部１０の天井に設けたシーリングファン５によって空気を対流させているが、このような小空間に仕切ることで暖気の上昇を防止できるので、シーリングファン５によって空気を対流させる必要が無くなる。したがって、シーリングファン５による風を寒く感じることも無く、小空間を効率よく暖房することができる。特に小人数の場合には、無駄に大空間を冷暖房することも無く、エネルギー効率が良くなる。
【００２１】
なお、一階１１のリビング１１ａがダイニング１１ｄと連続しているような場合、このリビング１１ａとダイニング１１ｄとの間には、一階１１の床面から天井面にわたってこれらリビング１１ａとダイニング１１ｄとの間を仕切ることができるようになされたスライディングスクリーン６を設けることが好ましい。すなわち、スクリーン２によって一階１１のリビング１１ａと二階１２の吹き抜け部１０との間を仕切って、一階１１のリビング１１ａを小空間にしてもダイニング１１ｄと連続したままだと、横方向には大空間のままになってしまうので、このようなスライディグスクリーン６によって横方向にも仕切ることができるようにすることが好ましい。
【００２２】
また、一階１１のリビング１１ａは、スクリーン２によって仕切られることにより、照明が不足することが懸念されるので、このスクリーン２よりも下側の壁面に、ブラケット照明７を併設しておくことが好ましい。
【００２３】
本実施の形態において、スクリーン２は、キャンバス布製のものを例示しているが、このスクリーン２としては、図５（ａ）に示すように、複数枚のスラット２１を組み合わせて構成されたシャッター２ａによって構成されたものであってもよいし、図５（ｂ）に示すように、折り重ね可能に接続した複数枚の長板２２によって形成された折り畳み板２ｂによって構成されたものであってもよい。ただし、この場合、スラット２１や長板２２は、完全に光を遮断するものではなく、光を和らげて透過させることができるようになされた半透明の樹脂製のものが用いられる。
【００２４】
また、本実施の形態において、スクリーン２は、リビング１１ａに設けられているが、吹き抜けのダイニングルームであってもよいし、勾配天井の部屋であってもよい。
【産業上の利用可能性】
【００２５】
住宅建物内の吹き抜けに適用できる。
【図面の簡単な説明】
【００２６】
【図１】本発明に係る吹き抜け構造の全体構成の概略を示す斜視図である。
【図２】図１に示す吹き抜け構造の部分断面図である。
【図３】図１に示す吹き抜け構造の一階間取り図である。
【図４】図１に示す吹き抜け構造に用いられているスクリーンの全体構成の概略を示す斜視図である。
【図５】（ａ）は吹き抜け構造に用いられるスクリーンの他の実施の形態であるシャッターを示す斜視図、（ｂ）はさらに他の実施の形態である折り畳み板を示す斜視図である。
【図６】従来の吹き抜け構造を示す斜視図である。
【符号の説明】
【００２７】
１  住宅建物
１０  吹き抜け部
１１  一階（下層階）
１２  二階（上層階）
１１ａ  リビング（居室）
２  スクリーン
２ａ  シャッター（スクリーン）
２ｂ  折り畳み板（スクリーン）
３  収納ボックス
【図１】
2005163437.tif 000003
【図２】
2005163437.tif 000004
【図３】
2005163437.tif 000005
【図４】
2005163437.tif 000006
【図５】
2005163437.tif 000007
【図６】
2005163437.tif 000008